(57)【要約】【課題】噴霧された温水ミストを誤って使用者が顔にかぶるおそれが低く、且つ使用者の足や胴体に効率よくミストを吹きかけることが可能なミスト噴霧装置を提供する。【解決手段】ケーシング２、ケーシング２の前側面２ａに設けられたミスト・ノズル４，５、ミスト・ノズル４，５に温水を供給する温水供給管６、温水供給管６をケーシング２の外部の給湯ホース９と接続するケーシング側管継手８、及びスタンド３を備えた。ミスト・ノズル４，５は前側面２ａに設けられているので、ミスト噴霧開始直後に、使用者が噴霧された温水ミストを誤って顔にかぶるおそれがない。また、ミスト噴霧装置１を使用者の所望の位置に載置して、使用者の足や胴体に効率よくミストを吹きかけることができる。【選択図】        図１
2006112636.tif 000002
【特許請求の範囲】
【請求項１】
ケーシングと、
前記ケーシングに設けられたミストを噴霧する一乃至複数のミスト・ノズルと、
前記ケーシング内部に設けられた前記ミスト・ノズルに温水を供給する温水供給管と、
前記温水供給管を前記ケーシングの外部の管と接続するケーシング側管継手と、
前記ケーシングの下部に設けられ、前記ミスト・ノズルを前方に向けた状態で前記ケーシングを縦立させるスタンドと、
を備えたミスト噴霧装置。
【請求項２】
前記ミスト・ノズルは、
前記ケーシングに、垂直軸を中心に回動自在に設けられた垂直ミスト・ノズルと、
前記ケーシングに、水平軸を中心に回動自在に設けられた水平ミスト・ノズルと、
を備えていることを特徴とする請求項１記載のミスト噴霧装置。
【請求項３】
前記ケーシング側管継手に接続された可撓性の給湯ホースと、
前記ケーシング側管継手が接続された側と反対側の前記給湯ホースの端部に取り付けられ前記給湯ホースの端部を浴室内の給湯栓に着脱自在に接続可能とする給湯栓側管継手と、
を備えていることを特徴とする請求項１又は２記載のミスト噴霧装置。
【請求項４】
前記ケーシングの裏面上部に樹脂成形により前記ケーシングと一体形成された持ち運び用の取手を備えたことを特徴とする請求項１乃至３の何れか一に記載のミスト噴霧装置。
【発明の詳細な説明】
【技術分野】
【０００１】
本発明は、ミスト式浴室暖房装置として使用されるミスト噴霧装置に関し、特に、設置が極めて容易なミスト噴霧装置に関する。
【背景技術】
【０００２】
浴室内設備の一つとして、浴室内に温水のミストを噴霧することにより浴室内の暖房を行うミスト式浴室暖房装置がある（例えば、特許文献１〜５参照）。ミスト式浴室暖房装置は、浴室内に温水ミストを噴霧するためのミスト噴霧装置を備えている。温水は、浴室に一般的に設けられている給湯栓から供給される。そして、ミスト噴霧装置によって、温水ミストを浴室内に噴霧する。
【０００３】
ミスト式浴室暖房装置としては、最初から浴室設置時に浴室の壁や天井の内部に内設する組込型と、既設の浴室に対してミスト噴霧装置を取り付ける後付型とに大別される。本発明は、後付型のミスト式浴室暖房装置に使用されるミスト噴霧装置に関するものであり、以下では後付型のミスト式浴室暖房装置について説明する。
【０００４】
従来の後付型のミスト式浴室暖房装置を俯瞰すると、固定式のもの（特許文献１〜３参照）と、移動式のもの（特許文献４，５参照）とが見られる。固定式のミスト式浴室暖房装置とは、ミスト噴霧装置を浴室の壁面等に固定するものである。移動式のミスト式浴室暖房装置とは、ミスト噴霧装置が持ち運び可能であり、ミスト噴霧装置に温水を供給する給湯パイプを給湯栓に接続して使用するものである。
【０００５】
図５は特許文献１に記載の従来の固定式のミスト式浴室暖房装置を表す図である。ミスト式浴室暖房装置１００のミスト噴霧装置１０１は、浴室２００内の給湯栓２０３付近の壁面２０２にアンカー・ボルト等によって設置される。
【０００６】
ミスト噴霧装置１０１は、浴室２００の壁面２０２に設置された給湯栓２０３に、給湯ホース１０２により接続されている。給湯ホース１０２から供給される温湯は、ミスト噴霧装置１０１の正面に複数個設けられたミスト・ノズル１０３から噴霧される。これにより、浴室内に温湯のミストが拡散され、浴室の暖房が行われる。
【０００７】
また、使用者が直接温水ミストを浴びることができるように、浴室暖房装置１００は、浴室２００の壁面２０２の床面に近い位置に設けられている。
【０００８】
図６及び図７に、従来の固定式のミスト式浴室暖房装置の他の例を示す（特許文献２，３参照）。何れの例においても、ミスト噴霧装置１０１は、浴室２００の壁面２０２に固定して設置されている。
【０００９】
ところで、上記従来の固定式のミスト式浴室暖房装置１００を浴室２００に設置する場合、ミスト噴霧装置１０１を浴室の壁面に、アンカー・ボルト等で固定する必要がある。しかし、この取り付け作業は簡単ではない。すなわち、設置作業を行う作業者は、まず、ミスト式浴室暖房装置１００の取り付け位置付近の壁の強度検査を行い、壁の強度が弱い場合には補強具により壁の補強を行う。そのため、調査後、一旦、補強具を準備した後、再び浴室に帰って取り付け作業を行う。従って、二度手間がかかり作業効率が悪いという欠点がある。
【００１０】
一方、従来の移動式のミスト式浴室暖房装置を図８及び図９に示す。移動式の場合には、ミスト噴霧装置１０１は、浴室２００の壁２０２に固定されることなく、浴室２００の床２０１上に載置することによって設置される。ミスト噴霧装置１０１は、可撓性の給湯ホース１０２によって給湯栓２０３に接続される。給湯栓２０３から給湯ホース１０２を介してミスト噴霧装置１０１に供給された温水は、モーター１０５によって回転する羽根車１０４により霧化される。この霧化された温水ミストは、衝突版１０６に当たって、ミスト噴霧装置１０１の上面に設けられた噴霧口１０７から噴霧される。これにより、浴室内に温湯のミストが拡散され、浴室の暖房が行われる。
【００１１】
移動式のミスト式浴室暖房装置の場合、壁２０２への設置工事が必要なく、固定式に比べて手軽に導入できるという利点がある。また、使用しない場合には、浴室２００内から持ち出すことにより、浴室２００内の掃除が容易であり、また浴室２００内空間を有効利用できるという利点がある。
【特許文献１】特開２００３−７９５２７号公報
【特許文献２】特開２０００−２７１１８６号公報
【特許文献３】特開平１０−１８５２２３号公報
【特許文献４】特開平１１−１６４８６９号公報
【特許文献５】特開平８−２３８２９４号公報
【発明の開示】
【発明が解決しようとする課題】
【００１２】
しかしながら、上記従来の移動式のミスト式浴室暖房装置においては、ミスト噴霧装置の噴霧口が床から上方乃至は斜め上方に向けて開口している。従って、使用者がミスト暖房を開始する際に給湯栓を開弁した際、温水が使用者の顔に向かって吹き出し、使用者が誤って温水ミストを顔面に浴びることにより、目に温水ミストが入り、水道水中の次亜塩素酸ソーダで目が充血する場合が想定される。
【００１３】
また、噴霧口は上方乃至は斜め上方に向けて開口し、噴霧方向は固定されているため、使用者は足や胴体に効率よくミストを吹きかけることができない。すなわち、常にミストはミスト噴霧装置の上方に向けて噴射されているから、使用者が足にミストを浴びようとした場合、使用者が足をミスト噴霧装置の上方に翳した状態で静止する必要がある。このような体勢を維持するのは体力を消耗するため、十分に寛いだミスト浴を楽しむことができない。また、使用者が胴体にミストを浴びようとした場合、ミスト噴霧装置の上方に胴体をもっていくことは難しく、そのような使用法は、事実上は行うことができない。
【００１４】
一方、ミスト噴霧装置を浴室から持ち出したり持ち入ったりする場合、使用者はミスト噴霧装置を両手で把持して持ち運ぶ必要がある。従って、両手が塞がってしまうため、給湯ホースを引きずってしまったり、浴室の出入り口のドアの開け閉めが難しかったりして、運搬に不便である。
【００１５】
そこで、本発明の目的は、噴霧された温水ミストを誤って使用者が顔にかぶるおそれが低く、且つ使用者の足や胴体に効率よくミストを吹きかけることが可能なミスト噴霧装置を提供することにある。また、他の目的は、運搬が容易で浴室での設置・除去作業が容易なミスト噴霧装置を提供することにある。
【課題を解決するための手段】
【００１６】
本発明に係るミスト噴霧装置の第１の構成は、ケーシングと、前記ケーシングに設けられたミストを噴霧する一乃至複数のミスト・ノズルと、前記ケーシング内部に設けられた前記ミスト・ノズルに温水を供給する温水供給管と、前記温水供給管を前記ケーシングの外部の管と接続するケーシング側管継手と、前記ケーシングの下部に設けられ、前記ミスト・ノズルを前方に向けた状態で前記ケーシングを縦立させるスタンドと、を備えたことを特徴とする。
【００１７】
この構成により、ケーシングを浴室の床面にスタンドで立てて載置し、ケーシング側管継手を浴室内の給湯栓にホース等により接続することで、ミスト噴霧装置を設置することができる。このように、ケーシングを浴室の壁にボルト等で固定しないので、ミスト噴霧装置を設置する工事が一切不要となる。また、ケーシングを浴室の壁面にボルト等で固定しないので、浴室壁面にボルト等の下孔を穿孔する必要がない。
【００１８】
そして、ケーシングをスタンドにより縦立することによってミスト・ノズルが真上方向ではなく前方に向けられているので、ミスト噴霧開始直後に、使用者が噴霧された温水ミストを誤って顔にかぶるおそれがない。また、ミスト噴霧装置を使用者の所望の位置に載置して、使用者の足や胴体に効率よくミストを吹きかけることができる。
【００１９】
ここで、ケーシング側管継手としては、ジョイント・パイプ、スイベル継手、ホース・ニップル等が使用される。特に、ケーシング側管継手としてスイベル継手を使用すれば、ケーシングの外部の管（ホース等）とミスト噴霧装置とを接続した際に、応力がかからないため、ミスト噴霧装置の設置の自由度が増し、使い勝手がより改善される。
【００２０】
また、本発明において、前記ケーシングを前記スタンドに回動自在に軸支する軸着部を備えた構成としてもよい。これにより、使用者は、自分が使用しやすい角度にケーシングを回動させて床面に立てることができる。そして、使用状況に合った角度で温水ミストを噴霧させ、より快適なミスト浴を楽しむことが可能となる。
【００２１】
本発明に係るミスト噴霧装置の第２の構成は、前記第１の構成において、前記ミスト・ノズルは、前記ケーシングに、垂直軸を中心に回動自在に設けられた垂直ミスト・ノズルと、前記ケーシングに、水平軸を中心に回動自在に設けられた水平ミスト・ノズルと、を備えていることを特徴とする。
【００２２】
この構成により、使用者は、垂直ミスト・ノズルと水平ミスト・ノズルとを回動させることによって、希望の向きに温水ミストを噴霧させることが可能となる。
【００２３】
尚、ここでいう「垂直軸」及び「水平軸」とは、厳密に垂直な軸及び厳密に水平な軸を意味するものではなく、ケーシングの前側面に対してほぼ縦辺に沿った軸、ほぼ横辺に沿った軸という程度の意味である。
【００２４】
本発明に係るミスト噴霧装置の第３の構成は、前記第１又は２の構成において、前記ケーシング側管継手に接続された可撓性の給湯ホースと、前記ケーシング側管継手が接続された側と反対側の前記給湯ホースの端部に取り付けられ前記給湯ホースの端部を浴室内の給湯栓に着脱自在に接続可能とする給湯栓側管継手と、を備えていることを特徴とする。
【００２５】
この構成により、ミスト噴霧装置を浴室内に設置又は浴室内から除去する場合、ミスト噴霧装置を浴室内の床面に載置した後、給湯栓側管継手を浴室内の給湯栓に接続し又は取り外すだけでよい。従って、使用者による設置・除去作業が容易となる。
【００２６】
本発明に係るミスト噴霧装置の第４の構成は、前記第１乃至３の何れか一の構成において、前記ケーシングの裏面上部に樹脂成形により前記ケーシングと一体形成された持ち運び用の取手を備えたことを特徴とする。
【００２７】
この構成により、使用者がミスト噴霧装置を浴室内に設置又は除去する場合において、片手で持ち運び用の取手をもってミスト噴霧装置を持ち運ぶことができる。従って、もう一方の片手でホースを持つことができ、ホースを引きずらなくてすむ。そのため、持ち運びが容易である。
【発明の効果】
【００２８】
以上のように、本発明によれば、ケーシングを浴室の床面にスタンドで立てて載置し、ケーシング側管継手を浴室内の給湯栓にホース等により接続することで、ミスト噴霧装置を設置することができるので、ケーシングを浴室壁面に取り付ける工事が不要となる。そして、ミスト・ノズルはケーシングの前側面に設けられているので、ミスト噴霧開始直後に、使用者が噴霧された温水ミストを誤って顔にかぶるおそれがない。また、ミスト噴霧装置を使用者の所望の位置に載置して、使用者の足や胴体に効率よくミストを吹きかけることができる。従って、快適にミスト・サウナを楽しむことができる。
【００２９】
更に、移動式であるため、ミスト噴霧装置を使用しないときには、ミスト噴霧装置を浴室から持ち出すことができるので、浴室内のスペースを有効に利用することができる。また、ケーシングが壁面に固定されていないので、ミスト噴霧装置及び浴室床を掃除するのも容易となる。
【００３０】
また、ミスト・ノズルとして、垂直軸及び水平軸を中心に回動自在な垂直ミスト・ノズル及び水平ミスト・ノズルを備えることにより、使用者の体格や使用の用途に応じて、噴霧方向を自由に変更することが可能となる。従って、使用状況に合った角度で温水ミストを噴霧させ、より快適なミスト浴を楽しむことが可能となる。
【００３１】
また、ケーシングの裏面上部に樹脂成形によりケーシングと一体形成された持ち運び用の取手を設けることで、片手で持ち運び用の取手を持ち、もう一方の手でホースを持つことができるから、ホースを引きずらずに持ち運びができる。更に、取手は、ケーシングに一体形成されているので、製造が容易である。また、安価に製造することができる。
【発明を実施するための最良の形態】
【００３２】
以下、本発明を実施するための最良の形態について、図面を参照しながら説明する。
【実施例１】
【００３３】
図１は本発明の実施例１に係るミスト噴霧装置の正面図、図２は図１のミスト噴霧装置の背面図である。本実施例に係るミスト噴霧装置１は、ケーシング２の下部に、ケーシング２を浴室床面上に起立した状態で支持するためのスタンド３が設けられている。ケーシング２は、樹脂成形によって形成されている。スタンド３によりケーシング２が床面に縦立された状態では、ケーシング２は、前側面２ａが垂直乃至はやや上向きの状態となる。
【００３４】
ケーシング２の前側面２ａは、横長の略長方形状に形成されている。前側面２ａの下部には、下辺に沿って、水平ミスト・ノズル４が水平軸を中心として回動自在に設けられている。また、前側面２ａの左右側部には、左右辺に沿って、垂直ミスト・ノズル５，５が垂直軸を中心として回動自在に設けられている。スタンド３によりケーシング２が床面に縦立された状態においては、水平ミスト・ノズル４及び垂直ミスト・ノズル５，５は前方に向けられた状態となる。そして、水平ミスト・ノズル４及び垂直ミスト・ノズル５，５を回動させることで、温水ミストの噴射角度を自在に変更することができる。
【００３５】
ケーシング２の内部には、温水供給管６が設けられている。水平ミスト・ノズル４及び垂直ミスト・ノズル５，５は、スイベル継手により温水供給管６に回動自在に接続されている。更に、ケーシング２の下部には、給湯電磁弁７を介して温水供給管６に接続されたケーシング側継手８が設けられている。ケーシング側継手８は、スイベル継手であり、温水供給管６とケーシング２の外部の給湯ホース９とを接続している。また、給湯電磁弁７は、給湯ホース９から温水供給管６への温水の供給を断通する電磁開閉弁である。この給湯電磁弁７は、ケーシング２の内部に設けられた電池（図示せず）を電源として駆動される。給湯ホース９は、ゴム、樹脂、金属製等の可撓性を有したホースである。
【００３６】
ケーシング２の前側面２ａ中央には、操作パネル１０が設けられている。操作パネル１０には、発停スイッチ１１、運転表示ランプ１２、電池ランプ１３、及びエラーランプ１４がそれぞれ設けられている。発停スイッチ１１は、ミスト噴霧の発停を操作するためのスイッチである。発停スイッチ１１を１回押すと電源が入り、給湯電磁弁７が開弁して温水の噴霧が開始される。発停スイッチ１１をもう１回押すと、給湯電磁弁７が閉止して温水の噴霧が停止され、電源が切れる。電源が入っているときには、運転表示ランプ１２が点灯する。また、電池の残量が少なくなったときには電池ランプ１３が点滅して警告する。また、温水の温度が高すぎる場合には、エラーランプ１４が点灯し、給湯電磁弁７が閉止する。
【００３７】
ケーシング２の背側面２ｂの上部には、取手１５が設けられている。取手１５は、樹脂成形によってケーシング２と一体に形成されている。
【００３８】
以上のように構成された本実施例に係るミスト噴霧装置１について、以下その使用法について説明する。
【００３９】
図３は、実施例１に係るミスト噴霧装置１の使用方法を説明する図である。図３に示したように、ミスト噴霧装置１を使用する場合、浴室の床面にスタンド３によりケーシング２を縦立させた状態で載置する。そして、使用者は、給湯栓（図示せず）を開弁し、ミスト噴霧装置１に温水を供給可能な状態とした後に、発停スイッチ１１を押して温水ミストの噴霧を開始する。温水ミストの噴霧方向は、真上方向ではなく横向き（前方方向）であるため、ミスト噴霧開始直後に、使用者が噴霧された温水ミストを誤って顔にかぶるおそれはない。
【００４０】
使用者は、図３（ａ）に示したように、ミスト噴霧装置１の前方に置かれた風呂いすに座って、温水ミストを正面から浴びてミスト浴を行うことができる。また、図３（ｂ）に示したように、使用者は、風呂いすに座ったままミスト噴霧装置１を手で持ち上げて使用者の背後に移動させ、背中から温水ミストを浴びてミスト浴を行うことができる。ミスト噴霧装置１はスタンド３により浴室の床面に載置されているだけなので、使用者は、ミスト噴霧装置１を所望の位置に配置して、ミスト浴を楽しむことができる。
【００４１】
また、ケーシング２の前側面２ａに水平ミスト・ノズル４及び垂直ミスト・ノズル５，５が設けられているので、温水ミストは使用者が座った時の高さの付近で横向きに噴射される。そのため、使用者の足や胴体に効率よくミストを吹きかけることができる。
【００４２】
ミスト噴霧装置１を移動させる際には、使用者は、ケーシング２の背側面２ｂに設けられた取手１５をつかんで移動させることができる。従って、使用者は、座ったまま簡単にミスト噴霧装置１を移動させることが可能である。
【００４３】
更に、使用者は、水平ミスト・ノズル４又は垂直ミスト・ノズル５を手で回動させて、温水ミストの噴霧方向を所望の方向に調節することができる。従って、温水ミストを浴びたい方向に自由にミスト噴霧方向を調節できるため、快適なミスト浴を楽しむことができる。
【実施例２】
【００４４】
図４は、本発明の実施例２に係るミスト噴霧装置の正面図である。図４に示したミスト噴霧装置１’において、図１と同様な部分については、同一の符号を付して説明は省略する。ミスト噴霧装置１’のスタンド３’，３’は、ケーシング２の下部の左右にそれぞれ設けられている。
【００４５】
このように左右にスタンド３’，３’を設ければ、より安定性がよいものとなる。
【００４６】
また、ケーシング側継手８’は、図４（ｂ）に示したように、ケーシング２の背側面の下部に設けられたホース継手である。更に、給湯ホース９の先端には、給湯栓側管継手１６が接続されている。この給湯栓側管継手１６には、洗濯機等で使用されるワンタッチ継手を使用することができる。これにより、給湯ホース９を給湯栓へ脱着するのが容易となり、ミスト噴霧装置１’の設置・除去の作業がより容易となる。
【図面の簡単な説明】
【００４７】
【図１】本発明の実施例１に係るミスト噴霧装置の正面図である。
【図２】図１のミスト噴霧装置の背面図である。
【図３】実施例１に係るミスト噴霧装置の使用方法を説明する図である。
【図４】本発明の実施例２に係るミスト噴霧装置の正面図である。
【図５】特許文献１に記載の従来の固定式のミスト式浴室暖房装置を表す図である。
【図６】特許文献２に記載の従来の固定式のミスト式浴室暖房装置を表す図である。
【図７】特許文献３に記載の従来の固定式のミスト式浴室暖房装置を表す図である。
【図８】特許文献４に記載の従来の移動式のミスト式浴室暖房装置を表す図である。
【図９】特許文献５に記載の従来の移動式のミスト式浴室暖房装置を表す図である。
【符号の説明】
【００４８】
１，１’  ミスト噴霧装置
２  ケーシング
２ａ  前側面
２ｂ  背側面
３，３’  スタンド
４  水平ミスト・ノズル
５  垂直ミスト・ノズル
６  温水供給管
７  給湯電磁弁
８，８’  ケーシング側継手
９  給湯ホース
１０  操作パネル
１１  発停スイッチ
１２  運転表示ランプ
１３  電池ランプ
１４  エラーランプ
１５  取手
１６  給湯栓側管継手
【図１】
2006112636.tif 000003
【図２】
2006112636.tif 000004
【図３】
2006112636.tif 000005
【図４】
2006112636.tif 000006
【図５】
2006112636.tif 000007
【図６】
2006112636.tif 000008
【図７】
2006112636.tif 000009
【図８】
2006112636.tif 000010
【図９】
2006112636.tif 000011